(57)【要約】【課題】携帯端末装置が備える液晶パネルの耐衝撃性を向上させることである。【解決手段】本発明の一態様にかかる携帯端末装置は、パネル１１と、当該パネル１１に取り付けられた液晶パネル２９と、を備える表示部１０と、表示部１０が取り付けられた筐体３０と、を備える。筐体３０は、パネル１１の主面と平行に配置され、且つ液晶パネル２９と離間して配置された板状部材３２を備える。液晶パネル２９は、液晶パネル２９の板状部材３２側に配置された発光素子２８を備え、平面視において、板状部材３２は発光素子を覆うように配置されている。【選択図】図６
2014102336.tif 000002
【特許請求の範囲】
【請求項１】
パネルと、当該パネルに取り付けられた液晶パネルと、を備える表示部と、
前記表示部が取り付けられた筐体と、を備え、
前記筐体は、前記パネルの主面と平行に配置され、且つ前記液晶パネルと離間して配置された板状部材を備え、
前記液晶パネルは、当該液晶パネルの前記板状部材側に配置された発光素子を備え、
平面視において、前記板状部材は前記発光素子を覆うように配置されている、
携帯端末装置。
【請求項２】
前記板状部材は開口部を備え、
前記開口部の前記発光素子側の端部は、平面視において前記発光素子よりも前記液晶パネルの端部側に配置されている、
請求項１に記載の携帯端末装置。
【請求項３】
前記液晶パネルは、前記開口部を通るケーブルを用いて、前記板状部材の前記液晶パネルが配置されている側と反対の側に配置された回路素子と接続されている、請求項２に記載の携帯端末装置。
【請求項４】
前記開口部は、前記板状部材の前記発光素子が配置されている側の端部に形成されている、請求項２または３に記載の携帯端末装置。
【請求項５】
前記発光素子は、前記液晶パネルの前記開口部側においてアレイ状に配置されている、請求項２乃至４のいずれか一項に記載の携帯端末装置。
【請求項６】
前記液晶パネルは、当該液晶パネルの前記板状部材側の面を覆うように配置された反射シートと、当該反射シート上に配置された導光板とを備え、
前記発光素子は前記導光板の側面に光を導入するように配置されている、
請求項１乃至５のいずれか一項に記載の携帯端末装置。
【請求項７】
前記液晶パネルは、前記発光素子および前記導光板を取り囲むように配置されたフレームを備え、
平面視において、前記板状部材の前記開口部側の端部が、前記フレームの少なくとも一部と重畳するように配置されている、請求項２乃至６のいずれか一項に記載の携帯端末装置。
【請求項８】
前記板状部材は金属材料で構成され、前記フレームは樹脂材料で構成されている、請求項７に記載の携帯端末装置。
【請求項９】
前記液晶パネルは、当該液晶パネルの前記パネル側の面に配置されたドライバ素子と、前記ドライバ素子よりも前記パネル側に突出したスペーサと、を備える、請求項１乃至８のいずれか一項に記載の携帯端末装置。
【請求項１０】
前記ドライバ素子および前記スペーサは、前記液晶パネルの前記開口部側の端部に配置されている、請求項８に記載の携帯端末装置。
【請求項１１】
前記表示部は、前記パネルを接着部材を用いて前記筐体に固定することで前記筐体に取り付けられる、請求項１乃至１０のいずれか一項に記載の携帯端末装置。
【請求項１２】
前記パネルはタッチパネルである、請求項１乃至１１のいずれか一項に記載の携帯端末装置。
【請求項１３】
前記携帯端末装置は、前記筐体の前記表示部と反対側に配置された背面筐体を更に備え、
前記筐体と前記背面筐体との間には、基板およびバッテリが配置されている、
請求項１乃至１２のいずれか一項に記載の携帯端末装置。
【発明の詳細な説明】
【技術分野】
【０００１】
本発明は携帯端末装置に関する。
【背景技術】
【０００２】
近年、携帯電話やスマートフォンなどの携帯端末装置が広く普及している。一般的に、携帯端末装置はユーザが携帯して使用する場合が多いため、例えばユーザが誤って携帯端末装置を落下させた場合、携帯端末装置に強い衝撃が加わる。
【０００３】
特許文献１には、強い振動衝撃が加わっても液晶パネルの配向性や画質の劣化を防ぐことができる液晶装置に関する技術が開示されている。特許文献２には、外観の小型化を達成しつつ液晶表示装置の損傷を未然に防止することができる技術が開示されている。
【先行技術文献】
【特許文献】
【０００４】
【特許文献１】特開平１０−９０６５６号公報
【特許文献２】特開２００６−０１１１６３号公報
【発明の概要】
【発明が解決しようとする課題】
【０００５】
背景技術で説明したように、携帯端末装置はユーザが携帯して使用する場合が多いため、例えばユーザが誤って携帯端末装置を落下させた場合、携帯端末装置に強い衝撃が加わる。特に、液晶パネルは、携帯端末装置を落下させた際に大きな衝撃が伝わりやすいため、破損しやすいという問題がある。
【０００６】
上記課題に鑑み本発明の目的は、携帯端末装置が備える液晶パネルの耐衝撃性を向上させることである。
【課題を解決するための手段】
【０００７】
本発明の一態様にかかる携帯端末装置は、パネルと、当該パネルに取り付けられた液晶パネルと、を備える表示部と、前記表示部が取り付けられた筐体と、を備え、前記筐体は、前記パネルの主面と平行に配置され、且つ前記液晶パネルと離間して配置された板状部材を備え、前記液晶パネルは、当該液晶パネルの前記板状部材側に配置された発光素子を備え、平面視において、前記板状部材は前記発光素子を覆うように配置されている。
【発明の効果】
【０００８】
本発明により、携帯端末装置が備える液晶パネルの耐衝撃性を向上させることができる。
【図面の簡単な説明】
【０００９】
【図１】実施の形態にかかる携帯端末装置の分解斜視図である。
【図２】実施の形態にかかる携帯端末装置が備える表示部の分解斜視図である。
【図３】図２に示す表示部が備える液晶部の上面図である。
【図４】図２に示す表示部が備えるバックライトの分解斜視図である。
【図５】実施の形態にかかる携帯端末装置が備えるフロント筐体の上面図である。
【図６】図１に示す携帯端末装置のＶＩ−ＶＩにおける断面図である。
【図７Ａ】本発明の効果を説明するための断面図である。
【図７Ｂ】本発明の効果を説明するための断面図である。
【図８Ａ】比較例を説明するための断面図である。
【図８Ｂ】比較例を説明するための断面図である。
【図９】比較例を説明するための断面図である。
【発明を実施するための形態】
【００１０】
以下、図面を参照して本発明の実施の形態について説明する。
図１は、本実施の形態にかかる携帯端末装置の分解斜視図である。本実施の形態にかかる携帯端末装置は、例えばスマートフォン、タブレット型の携帯端末装置、携帯電話、ゲーム機、電子書籍端末などである。
【００１１】
図１に示すように、本実施の形態にかかる携帯端末装置は、表示部１０、フロント筐体３０、リア筐体（背面筐体）４０、バッテリカバー４１、バッテリ４２、および基板４３を備える。表示部１０は、フロント筐体３０の外側の面に取り付けられる。フロント筐体３０とリア筐体４０とで形成される空間には、バッテリ４２および基板４３が配置される。
【００１２】
バッテリ４２は、基板４３や表示部１０に電源を供給する。バッテリ４２は、例えばリチウムイオン二次電池である。携帯端末装置の背面にはバッテリカバー４１が設けられており、携帯端末装置が組み立てられた状態で、バッテリ４２を取り外すことができるように構成されている。基板４３は、例えば携帯端末装置を駆動するためのプロセッサ、メモリ、通信モジュール等の回路素子や、カメラ用の撮像素子等を備える。
【００１３】
図２は、本実施の形態にかかる携帯端末装置が備える表示部１０の分解斜視図である。図２に示すように、表示部１０は、パネル１１、接着部材１３、液晶部１４、およびバックライト２０を備える。ここで、液晶部１４およびバックライト２０は液晶パネル２９を構成する。
【００１４】
液晶部１４およびバックライト２０は、接着部材２１を用いて互いに接着されている。また、液晶パネル２９は、接着部材１３を用いてパネル１１に接着されている。すなわち、表示部１０は、パネル１１と液晶パネル２９とが接合された一体構造となっている。接着部材１３、２１には、例えば両面テープや接着剤を用いることができる。
【００１５】
パネル１１は、液晶パネル２９を外部環境から保護するための部材である。パネル１１はタッチパネルであってもよい。パネル１１がタッチパネルである場合、パネル１１には、パネル１１に設けられているセンサ（図６の符号１９参照）からの信号を伝えるためのケーブル１２を設ける。ケーブル１２は図１に示した基板４３に接続される。
【００１６】
液晶部１４は、例えば、偏光フィルタ、カラーフィルタ、配向膜、液晶材料を含む液晶層（各々不図示）を備える。また、液晶部１４は、液晶部１４のパネル１１側の面に配置されたドライバ素子１５と、ドライバ素子１５よりもパネル１１側に突出したスペーサ１６と、を備える。ドライバ素子１５は、液晶部１４を駆動するための素子である。ドライバ素子１５は、ケーブル１７を用いて図１に示した基板４３に接続される。スペーサ１６は、ドライバ素子１５を保護するための部材である。
【００１７】
図３は、図２に示す表示部１０が備える液晶部１４の上面図である。図３に示すように、ドライバ素子１５およびスペーサ１６は、液晶部１４の長手方向の端部に配置されている。つまり、ドライバ素子１５およびスペーサ１６は、液晶部１４の長手方向の端部において、液晶部１４の短手方向に延びるように配置されている。
【００１８】
また、スペーサ１６は、ドライバ素子１５を囲うように配置される。図３に示す例では、スペーサ１６はドライバ素子１５よりも液晶部１４の外側に配置され、更にドライバ素子１５よりも液晶部１４の短手方向において長くなるように配置されている。また、スペーサ１６は、液晶部１４の主面と垂直な方向において、ドライバ素子１５よりも厚くなるように構成されている（図６参照）。
【００１９】
また、図２に示すバックライト２０は、液晶部１４に光を導入する光源として機能する。バックライト２０は、バックライト２０に電源や制御信号を伝達するためのケーブル２２を備える。ケーブル２２は図１に示した基板４３に接続される。
【００２０】
図４は、図２に示す表示部１０が備えるバックライト２０の分解斜視図である。図４に示すように、バックライト２０は、スペーサ２３、接着部材２１、複数の光学シート２４_１〜２４_３、発光素子２８、ケーブル２２、導光板２５、フレーム２６、および反射シート２７を備える。
【００２１】
導光板２５は、上面に複数の光学シート２４_１〜２４_３を備え、下面に反射シート２７を備える。また、発光素子２８は、導光板２５の側面に配置される（図６参照）。フレーム２６は、複数の光学シート２４_１〜２４_３、導光板２５、および反射シート２７を取り囲むように配置される。発光素子２８から放射された光は、導光板２５の側面から導光板２５の内部に導入され、反射シート４７と光学シート２４_１〜２４_３で反射されて、導光板２５内を伝搬する。そして、光の一部が光学シート２４_１〜２４_３を透過して液晶部１４に導入される。ここで、発光素子として、例えば白色のＬＥＤ（Light Emitting Diode）や有機ＥＬ（Electro luminescence）素子を用いることができる。また、光学シート２４_１〜２４_３として、例えば拡散シートやレンズシートを用いることができる。
【００２２】
図５は、本実施の形態にかかる携帯端末装置が備えるフロント筐体の上面図である。図５に示すように、フロント筐体３０は、部材３１と板状部材３２とを備える。例えば、部材３１は樹脂材料で構成されており、板状部材３２は金属材料で構成されている。例えば、フロント筐体３０は、板状部材３２を金型の所定の箇所に配置して、樹脂材料を流し込んで二色射出成形することで形成することができる。
【００２３】
また、板状部材３２は開口部３３を備える。開口部３３は、板状部材３２の上面と下面を貫通するように形成されている。よって、板状部材３２の上面にそれぞれ配置されているパネル１１、液晶部１４およびバックライト２０のケーブル１２、１７、２２を、開口部３３を通して板状部材３２の下面に通すことができる。パネル１１、液晶部１４およびバックライト２０のケーブル１２、１７、２２は、基板４３が備える回路素子に接続される。
【００２４】
図６は、図１に示す携帯端末装置のＶＩ−ＶＩにおける断面図である。図６に示すように、本実施の形態にかかる携帯端末装置は、表示部１０、フロント筐体３０、リア筐体４０、基板４３を備える。フロント筐体３０とリア筐体４０とで形成される空間には、回路素子４４、４５を備える基板４３が配置されている。
【００２５】
表示部１０は、パネル１１と、パネル１１に取り付けられた液晶パネル２９とを備える。パネル１１は、外側の面に保護フィルム１８を備え、内側の面にセンサ１９を備える。
また、パネル１１には接着部材１３を用いて液晶パネル２９が取り付けられている。つまり、パネル１１と液晶パネル２９は一体構造となっている。そして、パネル１１の内側の面の周囲を、接着部材５１を用いてフロント筐体３０の部材３１に貼り付けることで、フロント筐体３０に表示部１０を固定している。
【００２６】
フロント筐体３０は、パネル１１の主面と平行に配置され、且つ液晶パネル２９と離間して配置された板状部材３２を備える。つまり、板状部材３２と液晶パネル２９との間、すなわち板状部材３２と反射シート２７との間にはクリアランス５２が設けられている。
【００２７】
更に、板状部材３２は開口部３３を備える。開口部３３は、板状部材３２の上面と下面を貫通するように形成されている。液晶パネル２９は、開口部３３を通るケーブル１７を用いて、板状部材３２の液晶パネル２９が配置されている側と反対の側に配置された回路素子４５（基板４３）と接続されている。
【００２８】
液晶パネル２９は、液晶パネル２９の板状部材３２側に配置された発光素子２８を備える。発光素子２８は、導光板２５の側面に配置されている。つまり、発光素子２８は導光板２５の側面から導光板２５の内部へ光を導入する。発光素子２８は、液晶パネル２９の開口部３３側においてアレイ状に配置されていてもよい（図４参照）。このように発光素子２８をアレイ状に配置することで、導光板２５に光を均一に導入することができる。
【００２９】
そして本実施の形態にかかる携帯端末装置では、平面視において（つまり、パネル１１の主面と垂直な方向からみて）、板状部材３２が発光素子２８を覆うように配置している。換言すると、板状部材３２に形成された開口部３３の発光素子２８側の端部３５が、携帯端末装置を平面視した際に、発光素子２８よりも液晶パネル２９の端部側（すなわち携帯端末装置の端部側）になるように配置している。
【００３０】
このように板状部材３２を配置することで、携帯端末装置に強い衝撃が加わった場合であっても、携帯端末装置が備える液晶パネル２９が破損することを抑制することができる。具体的には、液晶パネル２９が備える発光素子２８が破損することを抑制することができる。
【００３１】
図７Ａ、図７Ｂは、本発明の効果を説明するための図であり、図６に示した断面図に対応している。図７Ａは携帯端末装置に衝撃が加わっていない状態を示しており、図７Ｂは携帯端末装置に衝撃が加わった状態を示している。
【００３２】
図７Ａに示すように、携帯端末装置に衝撃が加わっていない場合は、液晶パネル２９と板状部材３２との間にはクリアランス５２があり、液晶パネル２９と板状部材３２は干渉しない。
【００３３】
一方、図７Ｂに示すように、携帯端末装置に衝撃が加わった場合は液晶パネル２９が変位して、板状部材３２と液晶パネル２９とが衝突する。特に携帯端末装置の表示部１０に衝撃が加わった場合は、液晶パネル２９の変位量が大きいため、液晶パネル２９は板状部材３２に強く衝突する。しかし、本実施の形態にかかる携帯端末装置では、平面視において板状部材３２が発光素子２８を覆うようにしているので、発光素子２８が板状部材３２に衝突することを抑制することができる。また、発光素子２８が板状部材３２と衝突した場合であっても、発光素子２８と板状部材３２とが互いに面で当たるようにすることができ、発光素子２８に強い衝撃が伝わることを抑制することができる。よって、衝撃に弱い発光素子２８が板状部材３２の衝突により破損することを抑制することができるので、液晶パネルの耐衝撃性を向上させることができる。
【００３４】
また、発光素子２８が板状部材３２と衝突した場合であっても、発光素子２８に働く応力を小さくすることができるので、発光素子２８が板状部材３２に突き上げられることにより働くドライバ素子１５へのストレスを軽減することができる。
【００３５】
図８Ａ、図８Ｂは、本発明の比較例を説明するための図であり、図６に示した断面図に対応している。図８Ａは携帯端末装置に衝撃が加わっていない状態を示しており、図８Ｂは携帯端末装置に衝撃が加わった状態を示している。図８Ａ、図８Ｂに示す携帯端末装置では、平面視において板状部材７１が発光素子２８を覆わないように配置している。具体的には、板状部材７２に形成された開口部７３の端部７５が、携帯端末装置を平面視した際に、発光素子２８と導光板２５の境界近傍になるように配置している。
【００３６】
図８Ａに示すように、携帯端末装置に衝撃が加わっていない場合は、液晶パネル２９と板状部材７２との間にはクリアランス５２があり、液晶パネル２９と板状部材７２は干渉しない。
【００３７】
一方、図８Ｂに示すように、携帯端末装置に衝撃が加わった場合は、液晶パネル２９が変位して板状部材７２と液晶パネル２９とが衝突する。特に表示部１０に衝撃が加わった場合は液晶パネル２９の変位量が大きいため、液晶パネル２９は板状部材７２に強く衝突する。ここで、図８Ｂに示す場合は、平面視において板状部材７１が発光素子２８を覆わないように配置しているので、板状部材７２の端部７５は、発光素子２８や導光板２５と点で衝突する。よって、発光素子２８や導光板２５が破損するおそれがあり、液晶パネルの耐衝撃性が低下する。
【００３８】
また、発光素子２８が板状部材３２と衝突した場合、発光素子２８には大きな衝撃が伝わる。よって、発光素子２８は板状部材３２に突き上げられ、ドライバ素子１５には大きなストレスが作用し、ドライバ素子１５が破損するおそれがある。
【００３９】
これに対して本実施の形態にかかる携帯端末装置では、図６に示すように、平面視において板状部材３２が発光素子２８を覆うように配置しているので、発光素子２８が板状部材３２に衝突することを抑制することができ、液晶パネルの耐衝撃性を向上させることができる。
【００４０】
また、本実施の形態にかかる携帯端末装置は、図７Ａ、図７Ｂに示すように、発光素子２８および導光板２５を取り囲むように配置されたフレーム２６を備える。そして、平面視において、板状部材３２の開口部３３側の端部３５が、フレーム２６の少なくとも一部と重畳するように配置してもよい。このように構成することで、図７Ｂに示すように携帯端末装置に衝撃が加わった場合に、板状部材３２の端部３５がフレーム２６と衝突するようにすることができる。ここでフレーム２６は発光素子２８や導光板２５と比べて衝撃に強いため、板状部材３２の端部３５がフレーム２６に衝突したとしても、液晶パネル２９へのダメージは小さいといえる。例えば、フレーム２６を樹脂材料で構成することで、板状部材３２の端部３５が衝突した際の衝撃をフレーム２６で効率的に吸収することができる。
【００４１】
また、図６に示すように、液晶パネル２９は、液晶パネル２９のパネル１１側の面にドライバ素子１５およびスペーサ１６を備えていてもよい。このとき、スペーサ１６は、ドライバ素子１５よりもパネル１１側に突出するように構成する。このようにスペーサ１６を設けることで、携帯端末装置に衝撃が加わった場合であっても、ドライバ１５とパネル１１とが衝突することを抑制することができる。ドライバ素子１５およびスペーサ１６は、液晶パネル２９の開口部３３側の端部に配置されている。
【００４２】
図９は、比較例を説明するための断面図である。なお、図９に示す携帯端末装置において図６に示した携帯端末装置に対応する構成要素については、１００番台の符号を付している。
【００４３】
図９に示す携帯端末装置では、液晶パネル１２９を板状部材１３２に取り付けている。また、液晶パネル１２９とパネル１１１との間にはクリアランス１５２を設けている。このように構成した場合は、各構成部品のばらつきにより液晶パネル１２９とパネル１１１との間のクリアランス１５２が増減し、見栄えが悪くなる場合がある。また、携帯端末装置に衝撃が加わった際、各構成部品のばらつきによりクリアランス１５２が狭くなっている場合は、パネル１１１と液晶パネル１２９とが干渉する場合がある。
【００４４】
また、液晶パネル１２９とパネル１１１とを分離した構成では、液晶パネル１２９の面内方向における位置決め精度は、液晶パネル１２９を板状部材１３２に貼り合わせる際の精度により決定する。また、パネル１１１の面内方向における位置決め精度は、パネル１２９をフロント筐体１３０に貼り合わせる際の精度により決定する。このため、パネル１１１に対する液晶パネル１２９の面内方向の位置決め精度は、液晶パネル１２９の面内方向における位置決め精度とパネル１１１の面内方向における位置決め精度の２つの要因によって決定されるため、誤差が大きくなる傾向があった。特にパネル１１１がタッチパネルである場合は、パネル１１１が備えるセンサ１１９の面内方向における位置が、液晶パネル１２９に対してずれてしまい、操作性が低下する場合があった。
【００４５】
本実施の形態にかかる携帯端末装置では、上記問題を解決するために、図６に示す携帯端末装置のように、パネル１１と液晶パネル２９とを接合した一体構造としている。つまり、パネル１１と液晶パネル２９とを接合した場合は、パネル１１と液晶パネル２９との面内方向における位置決め精度は、パネル１１に対する液晶パネル２９の位置決め精度のみによって決定される。よって、パネル１１と液晶パネル２９との面内方向における位置決め精度を向上させることができる。
【００４６】
一方、パネル１１と液晶パネル２９とを接合した構成では、板状部材３２と液晶パネル２９との間にクリアランス５２が形成される。このため、携帯端末装置に衝撃が加わった場合、板状部材３２と液晶パネル２９の背面（つまりバックライト）が衝突するという問題があった（図８Ａ、図８Ｂ参照）。
【００４７】
そこで本実施の形態にかかる携帯端末装置では、図６に示すように、平面視において板状部材３２が発光素子２８を覆うように配置している。換言すると、板状部材３２に形成された開口部３３の発光素子２８側の端部３５が、携帯端末装置を平面視した際に、発光素子２８よりも液晶パネル２９の端部側になるように配置している。このように板状部材３２を配置することで、携帯端末装置に強い衝撃が加わった場合であっても、携帯端末装置が備える液晶パネル２９が破損することを抑制することができる。
【００４８】
以上、本発明を上記実施形態に即して説明したが、本発明は上記実施の形態の構成にのみ限定されるものではなく、本願特許請求の範囲の請求項の発明の範囲内で当業者であればなし得る各種変形、修正、組み合わせを含むことは勿論である。
【符号の説明】
【００４９】
１０  表示部
１１  パネル
１２  ケーブル
１３  接着部材
１４  液晶部
１５  ドライバ素子
１６  スペーサ
１７  ケーブル
１８  保護フィルム
１９  センサ
２０  バックライト
２１  接着部材
２２  ケーブル
２３  スペーサ
２４_１、２４_２、２４_３  光学シート
２５  導光板
２６  フレーム
２７  反射シート
２８  発光素子
２９  液晶パネル
３０  フロント筐体
３１  部材
３２  板状部材
３３  開口部
３５  端部
４０  リア筐体
４１  バッテリカバー
４２  バッテリ
４３  基板
４４、４５  回路素子
５１  接着部材
５２  クリアランス
【図１】
2014102336.tif 000003
【図２】
2014102336.tif 000004
【図３】
2014102336.tif 000005
【図４】
2014102336.tif 000006
【図５】
2014102336.tif 000007
【図６】
2014102336.tif 000008
【図７Ａ】
2014102336.tif 000009
【図７Ｂ】
2014102336.tif 000010
【図８Ａ】
2014102336.tif 000011
【図８Ｂ】
2014102336.tif 000012
【図９】
2014102336.tif 000013